(57)【特許請求の範囲】
【請求項１】
鍵盤シャーシと、この鍵盤シャーシ上に上下方向に回動可能に設けられた複数の鍵と、前記鍵盤シャーシ上に前記鍵の配列方向に沿って配置され、押鍵された前記鍵の押し込み力を検出する感圧センサとを備え、この感圧センサで検出した検出信号に基づいて発音中の音に効果を付与する鍵盤装置において、
前記感圧センサは、前記鍵の配列方向における前記鍵の各一端部の下側にそれぞれ対応する複数の第１接点部を有する第１電極と、前記鍵の各他端部の下側にそれぞれ対応する複数の第２接点部を有する第２電極と、前記鍵の押鍵操作に応じて前記第１、第２接点部に接離可能に接触する感圧シートとを備え、
前記鍵には、それぞれ前記感圧センサの前記第１、第２接点部に対応する箇所を押圧するセンサ押圧部が設けられ、このセンサ押圧部の下端面は、前記鍵の中心側に向けて次第に下方に突出する傾斜状に形成されていることを特徴とする鍵盤装置。
【請求項２】
前記センサ押圧部は、前記第１接点部と前記第２接点部との間に対応する中間部分に切欠部が設けられ、この切欠部によって前記第１接点部に対応する第１センサ押圧部と前記第２接点部に対応する第２センサ押圧部とに分割されていることを特徴とする請求項１に記載の鍵盤装置。
【請求項３】
前記センサ押圧部は、前記鍵の配列方向に沿って一直線状に配列されていることを特徴とする請求項１または２に記載の鍵盤装置。
【請求項４】
前記第１、第２センサ押圧部が前記鍵の配列方向に沿って千鳥状に配列されていることを特徴とする請求項１に記載の鍵盤装置。
【請求項５】
前記第１電極は、前記第１接点部が前記鍵ごとに互い違いに異なる方向に突出して設けられ、
前記第２電極は、前記鍵の長手方向における前記第１電極の前後両側に設けられ、かつ前記第２接点部がそれぞれ前記第１電極に向けて突出して前記第１接点部に対向した状態で設けられ、
前記センサ押圧部は、前記鍵ごとに互いに対向し合う前記第１、第２接点部に対応して設けられ、これにより前記鍵の配列方向に沿って千鳥状に配列されていることを特徴とする請求項１または２に記載の鍵盤装置。
【請求項６】
前記感圧センサは、互いに隣接する前記鍵の間に対応する前記第１、第２接点部間に隔壁部が設けられていることを特徴とする請求項１〜５のいずれかに記載の鍵盤装置。
【発明の詳細な説明】
【０００１】
【発明の属する技術分野】
この発明は、電子ピアノなどの鍵盤楽器における鍵盤装置に関する。
【０００２】
【従来の技術】
従来、電子ピアノなどの電子鍵盤楽器においては、通常の押鍵後、更に鍵を押し込んだ力に応じて、音高や音色、音量などを変化させ、発音中の音に各種の効果を付与し、音の表現力を高めるアフタータッチ機能を有するものがある。
図１０〜図１５はその一例を示した図である。この電子鍵盤楽器は、図１０および図１１に示すように、楽器ケース内に組み込まれる鍵盤シャーシ１と、この鍵盤シャーシ１上に上下方向に回動可能に取り付けられた合成樹脂製の複数の鍵２と、これら複数の鍵２に対応して配置され、押鍵時に各鍵２によって押圧されるスイッチ部材３と、押鍵後に更に各鍵２が押し込まれる力を検出するアフタータッチ用の感圧センサ４とを備えている。
【０００３】
複数の鍵２は、図１０に示すように、複数の白鍵２ａと複数の黒鍵２ｂとからなっている。この場合、黒鍵２ｂは、白鍵２ａの長さよりも短く、かつ白鍵２ａの高さよりも高く形成されており、これ以外は白鍵２ａとほぼ同じ構造になっている。このため、以下の説明は白鍵２ａを基にして述べる。複数の鍵２は、図１１に示すように、それぞれ下面側が開放された中空状に形成され、その後部（図１１では右側部）に上下方向に弾性変形する薄肉状の弾性変形部６が形成され、これら弾性変形部６の後端部が鍵配列方向に連続する共通の連結部７に白鍵２ａおよび黒鍵２ｂごとに並列に配置された状態で連結形成され、これら連結部７が白鍵２ａおよび黒鍵２ｂごとに重ね合わされた状態で鍵盤シャーシ１の鍵取付部８にビス９により取り付けられている。
【０００４】
これら複数の鍵２は、それぞれ押鍵されると、図１２に示すように、各弾性変形部６を中心に下方向に回動し、各鍵２の中間部分に形成された２組のスイッチ押圧部５がスイッチ部材３を押圧した後、各鍵２の下端部が感圧センサ４を押圧するように構成されている。この場合、鍵２は、図１１に示すように、弾性変形部６およびスイッチ部材３の後述するドーム状の膨出部１５の各弾性力によって押し上げられ、これにより鍵２の前部（図１１では左側部）に設けられたＬ字状のストッパ片１０が鍵盤シャーシ１のバカ孔１ａを通して鍵盤シャーシ１の下面に設けられたフェルトなどの上限ストッパ１１に当接し、所定の上限位置（初期位置）に位置規制されている。また、上限ストッパ１１の近傍に位置する鍵盤シャーシ１上には、鍵２の横振れを防ぐ鍵ガイド部１２が設けられている。
【０００５】
スイッチ部材３は、ゴムシート１３とスイッチ基板１４とを備え、鍵盤シャーシ１のほぼ中間部分における下面に配置されている。ゴムシート１３は、鍵２の配列方向に連続する帯状に形成され、各鍵２の２組のスイッチ押圧部５に対応する箇所に弾性変形可能なドーム状の２組の膨出部１５がそれぞれ形成され、これら膨出部１５が鍵盤シャーシ１の各貫通孔１ｂ内に下側から挿入されて上方に突出している。スイッチ基板１４は、ゴムシート１３を介して鍵盤シャーシ１の下面に取り付けられている。これにより、スイッチ部材３は、押鍵動作に応じてゴムシート１３の各膨出部１５がスイッチ押圧部５によって押圧されたときに、各膨出部１５が順次弾性変形して、その各内部にそれぞれ設けられた各可動接点がスイッチ基板１４に設けられた各固定接点に時間差をもって順次接触し、これにより押鍵された鍵２に対応するスイッチ信号を出力するように構成されている。
【０００６】
アフタータッチ用の感圧センサ４は、押鍵された鍵２の各スイッチ押圧部５がスイッチ部材３の各膨出部１５を押圧した後、更に鍵２が押し込まれる力（感圧センサ４を押圧する力）を検出するものであり、図１０および図１１に示すように、上限ストッパ片１１に対応する鍵盤シャーシ１の上面に各鍵２の配列方向に沿って設けられている。この感圧センサ４は、図１３、図１４（ａ）、および図１４（ｂ）に示すように、センサ基板１６上に第１、第２電極１７、１８が鍵２の長手方向における前後に対向して配置され、これら第１、第２電極１７、１８の前後両側（図１４（ａ）では左右両側）にスペーサ１９が配置され、このスペーサ１９上に感圧シート２０が第１、第２電極１７、１８の上方に離間して配置され、この感圧シート２０上にフェルト２１が配置された構成で、全体が鍵２の配列方向に沿う帯状に構成されている。
【０００７】
この場合、第１、第２電極１７、１８は、図１３に示すように、それぞれほぼ櫛歯状に形成され、これらが互いに噛み合うように配置されている。すなわち、第１電極１７は、第２電極１８よりも鍵２の後部側（図１３では上側）に位置し、鍵２の配列方向に沿ってライン状に設けられている。この第１電極１７の所定箇所には、第１接点部２２が鍵２の前側（同図では下側）に向けて突出し、かつ鍵２の配列方向における各鍵２の右端部にそれぞれ対応して設けられている。また、第２電極１８は、第１電極１７よりも鍵２の前部側（図１３では下側）に位置し、鍵２の配列方向に沿って第１電極１７と平行なライン状に設けられている。この第２電極１８の所定箇所には、第２接点部２３が鍵２の後側（同図では上側）に向けて突出し、かつ鍵２の配列方向における各鍵２の左端部にそれぞれ対応して設けられている。
【０００８】
また、感圧シート２０は、図示しないセンサシートの下面に感圧層を設けた２層構造で、この感圧層が第１、第２接点部２２、２３に接離可能に接触するように構成されている。また、スペーサ１９は、第１、第２接点部２２、２３と感圧シート２０とのギャップを規制すると共に、センサ基板１６と感圧シート２０とを接着している。なお、フェルト２１は、スペーサ１９の間隔よりも少し狭い幅で設けられ、鍵２の下端部によって押圧されたときに、感圧シート２０を撓ませて第１、第２接点部２２、２３に接触させるほか、鍵２の下限ストッパの機能をも兼ねている。
【０００９】
このような感圧センサ４は、図１５に示すように、鍵２によって感圧シート２０がフェルト２１を介して押圧されると、その押圧力に応じて感圧シート２０が撓んで第１、第２接点部２２、２３に接触し、その接触面積と接触圧とに応じて第１、第２電極１７、１８の電気抵抗（電圧）が変化し、この電気抵抗に応じた検出信号を出力することにより、鍵２の押し込み力、つまり感圧センサ４に対する押圧力を検出する。この場合、感圧センサ４は、鍵２の上下方向に回動する押鍵力だけでなく、鍵２の捩じれ（鍵２のローリング）による鍵２の左右方向の押鍵力をも同時に検出する。すなわち、感圧センサ４は、鍵２の右端部によって押圧された箇所の感圧シート２０が第１接点部２２に接触し、その接触面積および接触圧に応じた電気抵抗と、鍵２の左端部によって押圧された箇所の感圧シート２０が第２接点部２３に接触し、その接触面積および接触圧に応じた電気抵抗との差分値により、鍵２の左右方向の押鍵力を検出している。
【００１０】
このような電子鍵盤楽器では、鍵２が押鍵されると、図１２に示すように、鍵２が弾性変形部６を中心に下方に回動し、その鍵２の各スイッチ押圧部５がスイッチ部材３の各膨出部１５を順次押圧して各可動接点を各固定接点に時間差をもって順次接触させ、これによりスイッチ部材３がスイッチ信号を出力し、押鍵された鍵２に応じた音を発する。この後、更に鍵２が押し込まれると、図１５に示すように、感圧センサ４が鍵２の下端部によって押圧されて感圧センサ４の感圧シート２０が第１、第２接点部２２、２３に接触し、これにより鍵２の押し込み力に応じて感圧センサ４の電気抵抗が変化し、この電気抵抗に応じた検出信号に基づいて、発音中の音に、音高や音色、音量などを変化させる各種の効果を付与し、音の表現力を高めている。
【００１１】
【発明が解決しようとする課題】
ところで、このような電子鍵盤楽器では、押鍵された鍵２が感圧センサ４を押圧するときに、例えば、図１５において左側に位置する白鍵２ａとその右側に隣接する黒鍵２ｂのように、各鍵２ａ、２ｂがそれぞれ左右に傾くことなくほぼ水平に押鍵されると、各鍵２ａ、２ｂの左右の端部に対応する箇所の感圧シート２０がそれぞれ第１、第２接点部２２、２３にほぼ均等に接触し、これによりその接触状態に応じたアフタータッチデータが得られる。
しかし、図１５において右側に位置する白鍵２ａのように、その白鍵２ａが捩じれて、例えば左下がりに傾いた状態で押鍵されたときには、この白鍵２ａの左端部に対応する箇所の感圧シート２０が強く押し下げられ、これに対応する第２接点部２３に左寄りに接触することになるため、押鍵された白鍵２の左側に隣接する黒鍵２ｂの右端部に対応する第１接点部２２にも感圧シート２０が接触してしまうことがあり、このため正確なアフタータッチデータを得ることができないという問題がある。
【００１２】
この発明の課題は、押鍵された鍵によって隣接する鍵に対応する箇所の感圧センサが受ける影響を軽減することである。
【００１３】
【課題を解決するための手段】
この発明は、鍵盤シャーシと、この鍵盤シャーシ上に上下方向に回動可能に設けられた複数の鍵と、前記鍵盤シャーシ上に前記鍵の配列方向に沿って配置され、押鍵された前記鍵の押し込み力を検出する感圧センサとを備え、この感圧センサで検出した検出信号に基づいて発音中の音に効果を付与する鍵盤装置において、
前記感圧センサは、前記鍵の配列方向における前記鍵の各一端部の下側にそれぞれ対応する複数の第１接点部を有する第１電極と、前記鍵の各他端部の下側にそれぞれ対応する複数の第２接点部を有する第２電極と、前記鍵の押鍵操作に応じて前記第１、第２接点部に接離可能に接触する感圧シートとを備え、
前記鍵には、それぞれ前記感圧センサの前記第１、第２接点部に対応する箇所を押圧するセンサ押圧部が設けられ、このセンサ押圧部の下端面は、前記鍵の中心側に向けて次第に下方に突出する傾斜状に形成されていることを特徴とする。
【００１４】
この発明によれば、押鍵された鍵が感圧センサを押圧するときに、鍵に設けられたセンサ押圧部が感圧センサの第１接点部と第２接点部とに対応する箇所をそれぞれ押圧すると共に、押鍵された鍵が捩じれて鍵の配列方向に傾いても、そのセンサ押圧部の下端面が鍵の中心側に向けて次第に下方に突出する傾斜状に形成されていることにより、センサ押圧部が鍵の中心側に位置する感圧シートを強く押し下げて第１、第２接点部に接触させるが、鍵の端部側に位置する感圧シートを強く押し下げることがないため、押鍵された鍵によって隣接する鍵に対応する第１、第２接点部に感圧シートが接触しないようにすることができ、これにより押鍵された鍵によって隣接する鍵に対応する箇所の感圧センサが受ける影響を軽減することができる。
【００１５】
この場合、請求項２に記載のごとく、前記センサ押圧部は、前記第１接点部と前記第２接点部との間に対応する中間部分に切欠部が設けられ、この切欠部によって前記第１接点部に対応する第１センサ押圧部と前記第２接点部に対応する第２センサ押圧部とに分割されていることにより、各鍵に対応する第１接点部と第２接点部との間隔が狭くても、その第１、第２接点部間に対応する箇所の感圧シートが切欠部によって押し下げられることがないため、押鍵された鍵が捩じれて傾いても、鍵の配列方向における各鍵の左右方向の押鍵力を正確に検出することができる。この場合には、請求項３に記載のごとく、前記センサ押圧部は、前記鍵の配列方向に沿って一直線状に配列されていても良く、また請求項４に記載のごとく、前記第１、第２センサ押圧部が前記鍵の配列方向に沿って千鳥状に配列されていても良い。特に、第１、第２センサ押圧部を鍵の配列方向に沿って千鳥状に配列した場合には、各鍵に対応する第１接点部と第２接点部との間隔が狭くても、押鍵時に第１、第２センサ押圧部によって押圧された箇所の感圧シートがこれに対応する第１、第２接点部に跨って接触するのを大幅に軽減することができるので、押鍵された鍵の左右方向の押鍵力を、より一層、正確に検出することができる。
【００１６】
また、請求項５に記載のごとく、前記第１電極は、前記第１接点部が前記鍵ごとに互い違いに異なる方向に突出して設けられ、前記第２電極は、前記鍵の長手方向における前記第１電極の前後両側に設けられ、かつ前記第２接点部がそれぞれ前記第１電極に向けて突出して前記第１接点部に対向した状態で設けられ、前記センサ押圧部は、前記鍵ごとに互いに対向し合う前記第１、第２接点部に対応して設けられ、これにより前記鍵の配列方向に沿って千鳥状に配列されていることにより、各鍵に対応する第１、第２接点部が隣接する鍵に対応する第１、第２接点部に接近しないため、押鍵された鍵によって隣接する鍵に対応する箇所の感圧センサが、より一層、影響を受けないようにすることができる。
さらに、請求項６に記載のごとく、前記感圧センサは、互いに隣接する前記鍵の間に対応する前記第１、第２接点部間に隔壁部が設けられていることにより、押鍵された鍵が捩じれて傾いても、これに隣接する鍵に対応する箇所の感圧シートを隔壁部によって支持することができるので、押鍵された鍵によって隣接する鍵に対応する第１、第２接点部に感圧シートが接触するのを確実に防ぐことができる。
【００１７】
【発明の実施の形態】
［第１実施形態］
以下、図１〜図４を参照して、この発明の鍵盤装置の第１実施形態について説明する。なお、図１０〜図１５に示された従来例と同一部分には同一符号を付して説明する。
この鍵盤装置は、各鍵２にそれぞれセンサ押圧部３０を設けた構造で、これ以外は従来例とほぼ同じ構造になっている。
すなわち、センサ押圧部３０は、図１〜図３に示すように、感圧センサ４の第１、第２接点部２２、２３に対応する箇所の各鍵２の内面にそれぞれ設けられている。
【００１８】
各センサ押圧部３０は、図２に示すように、それぞれ鍵２の内面に形成された立て板状のリブであり、第１接点部２２と第２接点部２３との間に対応するリブの中間部分に切欠部３１が設けられ、この切欠部３１を境にして第１接点部２２に対応する第１センサ押圧部３２と第２接点部２３に対応する第２センサ押圧部３３とに分割されている。これら第１、第２センサ押圧部３２、３３の各下端面は、それぞれ鍵２の中心側に向けて次第に下方に突出する傾斜状の湾曲面３２ａ、３３ａに形成されている。また、これら第１、第２センサ押圧部３２、３３は、図１に示すように、鍵２の配列方向に沿って一直線状に配列されている。この場合、第１、第２接点部２２、２３は、各鍵２の左右の両端部から少し鍵２の内側に位置して設けられている。これにより、第１、第２接点部２２、２３の各中心部は、第１、第２センサ押圧部３２、３３の各中間部にそれぞれ対応している。
【００１９】
このような鍵盤装置では、鍵２が押鍵され、スイッチ部材３がオンして発音を開始した後、更に鍵２が押し込まれて感圧センサ４を押圧するときに、図４に示すように、鍵２に形成されたセンサ押圧部３０の第１センサ押圧部３２が感圧センサ４の第１接点部２２に対応する箇所を押圧すると共に、第２センサ押圧部３３が第２接点部２３に対応する箇所を押圧する。この場合、図４に示す３つの鍵２のうち、例えば、左側に位置する白鍵２ａと中間に位置する黒鍵２ｂのように、各鍵２ａ、２ｂが左右に傾くことなくほぼ水平に押し下げられると、白鍵２ａと黒鍵２ｂの各第１、第２センサ押圧部３２、３３によって、これに対応する箇所の感圧シート２０がそれぞれ押圧されて第１、第２接点部２２、２３にほぼ均等に接触する。このときには、第１、第２センサ押圧部３２、３３の各下端面が鍵２の中心側に向けて次第に下方に突出する傾斜状の湾曲面３２ａ、３３ａに形成されているので、押圧された箇所の感圧シート２０は、第１、第２接点部２２、２３における鍵２の中心側に強く押し付けられ、鍵２の各端部側には強く押し付けられることがない。このため、押圧された鍵２によって隣接する鍵２に対応する第１、第２接点部２２、２３に感圧シート２０が接触しないようにすることができる。
【００２０】
また、図４において右側に位置する白鍵２ａのように、その白鍵２ａが捩じれて、例えば左下がりに傾いた状態で押鍵されたときには、センサ押圧部３０の左側の第２センサ押圧部３３が感圧シート２０を第２接点部２３に強く押し付けて広い接触面積で接触させるが、右側の第１センサ押圧部３２は感圧シート２０を第１接点部２２に強く押し付けないため、狭い接触面積で接触する。このときにも、第１、第２センサ押圧部３２、３３の各下端面が鍵２の中心側に向けて次第に下方に突出する傾斜状の湾曲面３２ａ、３３ａに形成されているので、押圧された箇所の感圧シート２０は、第１、第２接点部２２、２３における白鍵２ａの中心側にそれぞれ異なる接触面積で強く押し付けられる。このため、特に第２センサ押圧部３３によって押圧された箇所の感圧シート２０は、第２接点部２３ににその左端寄りに強く押し付けられることがないので、白鍵２ａが左下がりに傾いても、その左側に隣接する黒鍵２ｂの右端部に対応する第１接点部２２に感圧シート２０が接触しないようにすることができる。
【００２１】
このように、この鍵盤装置によれば、各鍵２が押鍵されて感圧センサ４を押圧するときに、各鍵２が捩じれて左右に傾いても、各鍵２のセンサ押圧部３０により感圧センサ４の第１、第２接点部２２、２３に対応する箇所を確実に押圧することができると共に、押圧された箇所の感圧シート２０が隣接する鍵２に対応する第１、第２接点部２２、２３に接触しないようにすることができるので、押鍵された鍵２によって隣接する鍵２に対応する箇所の感圧センサ４が影響を受けないようにすることができ、このため正確なアフタータッチデータを得ることができ、これにより発音中の音に各種の効果を良好に付与することができ、より一層、音の表現力を高めることができる。この場合、センサ押圧部３０は、感圧センサ４の第１接点部２２と第２接点部２３との間に対応する中間部分に切欠部３１が設けられているので、各鍵２に対応する第１接点部２２と第２接点部２３との間隔が狭くても、その第１、第２接点部２２、２３間に対応する箇所の感圧シート２０が切欠部３１によって押し下げられることがないため、押鍵された鍵２の左右方向の押鍵力を正確に検出することができる。
【００２２】
なお、上記第１実施形態では、第１、第２センサ押圧部３２、３３の各下端面を鍵２の中心側に向けて次第に下方に突出する傾斜状の湾曲面３２ａ、３３ａに形成した場合について述べたが、これに限らず、例えば図５において左側に位置する白鍵２ａのように、第１、第２センサ押圧部３２、３３の各下端面を鍵２の中心側に向けて次第に下方に突出する直線状の傾斜面３２ｂ、３３ｂに形成しても良い。
また、上記第１実施形態では、鍵２のセンサ押圧部３０の中間部分に切欠部３１を形成したが、これに限らず、例えば図５において中間に位置する黒鍵２ｂのセンサ押圧部３４のように、必ずしも切欠部を設ける必要はない。この場合にも、センサ押圧部３４の下端面を鍵２の中心側に向けて次第に下方に突出する湾曲状または直線状の傾斜面３４ａに形成されている。
【００２３】
さらに、上記第１実施形態では、図２に示すように、センサ押圧部３０の第１、第２センサ押圧部３２、３３を鍵２の配列方向に沿って一直線状に配列させた場合について述べたが、これに限らず、例えば図６に示すセンサ押圧部３５のように、第１センサ押圧部３２と第２センサ押圧部３３とを各鍵２にそれぞれ互い違いに設け、この状態で第１、第２センサ押圧部３２、３３を鍵２の配列方向に沿って千鳥状に配列させた構造でも良い。このような配列のセンサ押圧部３５によれば、各鍵２に対応する第１接点部２２と第２接点部２３との間隔が狭くても、押鍵時に第１、第２センサ押圧部３２、３３によって押圧された箇所の感圧シート２０がこれに対応する第１、第２接点部２２、２３に跨って接触するのを大幅に軽減することができるので、押鍵された鍵２の左右方向の押鍵力を、より一層、正確に検出することができる。
【００２４】
［第２実施形態］
次に、図７を参照して、この発明の鍵盤装置の第２実施形態について説明する。この場合には、図１〜図４に示された第１実施形態と同一部分に同一符号を付して説明する。
この鍵盤装置は、感圧センサ４の第１、第２電極３６、３７の構造が第１実施形態と異なり、これ以外は第１実施形態とほぼ同じ構造になっている。
すなわち、感圧センサ４の第１電極３６は、鍵２の配列方向に沿ってライン状に設けられ、その所定箇所に第１接点部３８が鍵２ごとに互い違いに異なる方向に突出して設けられている。例えば、図７に示すように、白鍵２ａに対応する第１接点部３８は、白鍵２ａの後側（同図では上側）に向けて突出し、かつ白鍵２ａの右端部に対応して設けられている。また、白鍵２ａに隣接する黒鍵２ｂに対応する第１接点部３８は、黒鍵２ｂの前側（同図では下側）に向けて突出し、かつ黒鍵２ｂの右端部に対応して設けられている。
【００２５】
第２電極３７は、鍵２の長手方向における第１電極３６の前後両側にそれぞれ第１電極３８と平行なライン状に設けられ、その両者の所定箇所に第２接点部３９が第１電極３６に向けて突出し、かつ各第１接点部３８に対向した状態で設けられている。例えば、図７に示すように、前後２つの第２電極３７のうち、第１電極３６よりも鍵２の後側（同図では上側）に位置する第２電極３７には、第２接点部３９が鍵２の前側（同図では下側）に向けて突出し、かつ白鍵２ａに対応する第１接点部３８と平行に白鍵２ａの左端部に対応して設けられている。また、第１電極３６によりも鍵２の前側（同図では下側）に位置する第２電極３７には、第２接点部３９が鍵２の後側（同図では上側）に向けて突出し、かつ黒鍵２ｂに対応する第１接点部３８と平行に黒鍵２ｂの左端部に対応して設けられている。なお、これら２つの第２電極３７は、鍵２の配列方向における一方の端部同士が電気的に接続され、これにより実質的に１つの第２電極３７に構成されている。
【００２６】
この場合、各鍵２ごとに互いに対向し合う第１、第２接点部３８、３９は、図７に示すように、鍵２の配列方向に沿って千鳥状に配列されている。また、各鍵２のセンサ押圧部３０は、第１実施形態と同様、感圧センサ４の第１接点部３８に対応する第１センサ押圧部３２と第２接点部３９に対応する第２センサ押圧部３３とからなり、これら第１、第２センサ押圧部３２、３３が各鍵２ごとに互いに対向して設けられ、この状態で鍵２の配列方向に沿って千鳥状に配列されている。すなわち、図７に示すように、白鍵２ａのセンサ押圧部３０は、白鍵２ａごとに対向し合う第１、第２接点部３８、３９に対応し、第１電極３６よりも鍵２の後側（同図では上側）に位置している。また、黒鍵２ｂのセンサ押圧部３０は、黒鍵２ｂごとに対向し合う第１、第２接点部３８、３９に対応し、第１電極３６よりも鍵２の前側（同図では下側）に位置している。これにより、各センサ押圧部３０は、鍵２の配列方向に沿って千鳥状に配列されている。
【００２７】
このような鍵盤装置では、押鍵された鍵２が感圧センサ４を押圧するときに、センサ押圧部３０の第１、第２センサ押圧部３２、３３が感圧センサ４の第１、第２接点部３８、３９に対応する箇所をそれぞれ押圧するので、第１実施形態と同様の作用効果があるほか、特に感圧センサ４の第１、第２接点部３８、３９が各鍵２ごとに対向して設けられ、かつこの状態で鍵２の配列方向に沿って千鳥状に配列されているので、各鍵２に対応する第１、第２接点部３８、３９が、隣接する鍵２に対応する第１、第２接点部３８、３９に接近しないため、第１実施形態の場合よりも、押鍵された鍵２によって隣接する鍵２に対応する箇所の感圧センサ４が影響を受けないようにすることができ、このため、より一層、正確なアフタータッチデータを得ることができる。
【００２８】
［第３実施形態］
次に、図８および図９を参照して、この発明の鍵盤装置の第３実施形態について説明する。この場合にも、図１〜図４に示された第１実施形態と同一部分には同一符号を付して説明する。
この鍵盤装置は、感圧センサ４０の構造が第１実施形態と異なり、これ以外は第１実施形態とほぼ同じ構造になっている。
この感圧センサ４０は、互いに隣接する各鍵２の間、例えば白鍵２ａと黒鍵２ｂとの間に対応する箇所に隔壁部４１がそれぞれ設けられた構造になっている。すなわち、隔壁部４１は、例えば、図８および図９に示すように、黒鍵２ｂの左端部に対応する第２接点部２３と、その左側に隣接する白鍵２ａの右端部に対応する第１接点部２２との間、および黒鍵２ｂの右端部に対応する第１接点部２２と、その右側に隣接する白鍵２ａの左端部に対応する第２接点部２３との間に設けられている。この場合、各隔壁部４１は、それぞれ剛性が高く、押鍵された鍵２によって変形しないものであり、図９に示すように、センサ基板１６と感圧シート２０との間にスペーサ１９の高さとほぼ同じ高さで設けられている。
【００２９】
このような鍵盤装置では、押鍵された鍵２が感圧センサ４を押圧するときに、第１実施形態と同様、センサ押圧部３０の第１、第２センサ押圧部３２、３３が感圧センサ４の第１、第２接点部２２、２３に対応する箇所をそれぞれ押圧するが、このときには、互いに隣接する各鍵２の間に対応する箇所、つまり各鍵２の互いに隣接する各端部間に対応する第１、第２接点部２２、２３間に隔壁部４１が設けられていることにより、押鍵された鍵２に対応する箇所の感圧シート２０が押圧されても、これに隣接する鍵２に対応する箇所の感圧シート２０が隔壁部４１で支持されるので、押鍵された鍵２が捩じれて左右に傾いても、押圧された鍵２によって隣接する鍵２に対応する第１、第２接点部２２、２３に感圧シート２０が接触するのを確実に防ぐことができる。このため、押鍵された鍵２によって隣接する鍵２に対応する箇所の感圧センサ４がまったく影響を受けないようにすることができる。
【００３０】
【発明の効果】
以上説明したように、この発明によれば、押鍵された鍵が感圧センサを押圧するときに、鍵に設けられたセンサ押圧部が感圧センサの第１接点部と第２接点部とに対応する箇所をそれぞれ押圧すると共に、押鍵された鍵が捩じれて鍵の配列方向に傾いても、そのセンサ押圧部の下端面が鍵の中心側に向けて次第に下方に突出する傾斜状に形成されていることにより、センサ押圧部が鍵の中心側に位置する感圧シートを強く押し下げて第１、第２接点部に接触させるが、鍵の端部側に位置する感圧シートを強く押し下げることがないため、押鍵された鍵によって隣接する鍵に対応する第１、第２接点部に感圧シートが接触しないようにすることができ、これにより押鍵された鍵によって隣接する鍵に対応する箇所の感圧センサが受ける影響を軽減することができ、これにより正確なアフタータッチデータを得ることができる。
【００３１】
この場合、センサ押圧部は、第１接点部と第２接点部との間に対応する中間部分に切欠部が設けられ、この切欠部によって第１接点部に対応する第１センサ押圧部と第２接点部に対応する第２センサ押圧部とに分割されていることにより、各鍵に対応する第１接点部と第２接点部との間隔が狭くても、その第１、第２接点部間に対応する箇所の感圧シートが切欠部によって押し下げられることがないため、押鍵された鍵が捩じれて傾いても、鍵の配列方向における各鍵の左右方向の押鍵力を正確に検出することができる。特に、センサ押圧部は、第１センサ押圧部と第２センサ押圧部とが各鍵にそれぞれ互い違いに設けられ、この状態で第１、第２センサ押圧部が鍵の配列方向に沿って千鳥状に配列されていれば、各鍵に対応する第１接点部と第２接点部との間隔が狭くても、押鍵時に第１、第２センサ押圧部によって押圧された箇所の感圧シートがこれに対応する第１、第２接点部に跨って接触するのを大幅に軽減することができるので、押鍵された鍵の左右方向の押鍵力を、より一層、正確に検出することができる。
【００３２】
また、第１電極は、第１接点部が各鍵ごとに互い違いに異なる方向に突出して設けられ、第２電極は、各鍵の長手方向における第１電極の前後両側に設けられ、かつ第２接点部がそれぞれ第１電極に向けて突出して第１接点部に対向した状態で設けられ、センサ押圧部は、各鍵ごとに互いに対向し合う第１、第２接点部に対応して設けられ、これにより鍵の配列方向に沿って千鳥状に配列されていることにより、各鍵に対応する第１、第２接点部が隣接する鍵に対応する第１、第２接点部に接近しないため、押鍵された鍵によって隣接する鍵に対応する箇所の感圧センサが、より一層、影響を受けないようにすることができる。
さらに、感圧センサは、互いに隣接する鍵の間に対応する第１、第２接点部間に隔壁部が設けられていることにより、押鍵された鍵が捩じれて傾いても、これに隣接する鍵に対応する箇所の感圧シートを隔壁部によって支持することができるので、押鍵された鍵によって隣接する鍵に対応する第１、第２接点部に感圧シートが接触するのを確実に防ぐことができる。
【図面の簡単な説明】
【図１】この発明の鍵盤装置の第１実施形態における各鍵のセンサ押圧部の配列状態を示した要部の平面図。
【図２】図１のＡ−Ａ矢視における各鍵および感圧センサの要部を示した拡大断面図。
【図３】図１に示されたセンサ押圧部の配列状態に対する感圧センサの第１、第２電極の対応状態を示した平面図。
【図４】図２の状態の各鍵を押鍵したときの感圧センサの動作状態を示した要部の拡大断面図。
【図５】第１実施形態と異なる形状の各センサ押圧部を示した各鍵の拡大断面図。
【図６】第１実施形態と異なる構造および配列状態のセンサ押圧部を示した平面図。
【図７】この発明の鍵盤装置の第２実施形態における各鍵に対する感圧センサの第１、第２電極および各センサ押圧部の対応状態を示した平面図。
【図８】この発明の鍵盤装置の第３実施形態における各鍵に対する感圧センサおよび各センサ押圧部の対応状態を示した平面図。
【図９】図８のＢ−Ｂ矢視における各鍵および感圧センサの要部を示した拡大断面図。
【図１０】鍵盤装置の平面図。
【図１１】図１０のＣ−Ｃ矢視における拡大断面図。
【図１２】図１１の鍵を押鍵した状態の概略断面図。
【図１３】従来の鍵盤装置において各鍵に対する感圧センサの第１、第２電極の対応状態を示した平面図。
【図１４】図１３に示された従来の鍵盤装置の要部の断面を示し、（ａ）はＤ−Ｄ矢視における感圧センサの拡大断面図、（ｂ）はＥ−Ｅ矢視における各鍵および感圧センサの要部を示した拡大断面図。
【図１５】図１４（ｂ）の状態の各鍵を押鍵したときの感圧センサの動作状態を示した拡大断面図。
【符号の説明】
１  鍵盤シャーシ
２  鍵
３  スイッチ部材
４  感圧センサ
１７、３６  第１電極
２２、３８  第１接点部
１８、３７  第２電極
２３、３９  第２接点部
２０、４０  感圧シート
３０、３４、３５  センサ押圧部
３１  切欠部
３２  第１センサ押圧部
３３  第２センサ押圧部
３２ａ、３３ａ  湾曲面
３２ｂ、３３ｂ、３４ａ  傾斜面
４１  隔壁部
【図１】
0004207364.tif 000002
【図２】
0004207364.tif 000003
【図３】
0004207364.tif 000004
【図４】
0004207364.tif 000005
【図５】
0004207364.tif 000006
【図６】
0004207364.tif 000007
【図７】
0004207364.tif 000008
【図８】
0004207364.tif 000009
【図９】
0004207364.tif 000010
【図１０】
0004207364.tif 000011
【図１１】
0004207364.tif 000012
【図１２】
0004207364.tif 000013
【図１３】
0004207364.tif 000014
【図１４】
0004207364.tif 000015
【図１５】
0004207364.tif 000016